Podtech/llm-jp-corpus-v4-ja_patent huggingface dataset:
(57)【要約】 【課題】 舞踏の練習等で運動中の自分の頭部の位置が地面に対してどの様な      位置関係にあるのか、静的、及び動的な状態を音の変化によって知らせる      電子式運動姿勢認識装置を提供する。【解決手段】 ヘッドホン本体1の内部に電子回路2、加速度・傾斜センサー3、      電池4、発音体5、電源・機能切り替えスイチ6、を組み込み、それを頭      の位置にある耳に装着することにより、姿勢を崩した時に瞬時に音の変化      によって自分で認識、矯正することができる様にする。【選択図】  図1
2005118402.tif 000002
【特許請求の範囲】
【請求項１】
ヘッドホンに電子回路と加速度・傾斜センサー等を組み込み、音の変化
によって、それを装着した耳、つまり頭部の静的及び動的な地面に対する
位置関係を知らせる電子式運動姿勢認識装置
【発明の詳細な説明】
【技術分野】
【０００１】
本発明は舞踏の練習等で静止中及び運動中の頭部の位置が地面に対して
鉛直又はある傾斜角度が要求される場合に、まえもってそれらのＸ軸，Ｙ軸の
傾斜角を電子回路に記憶させておき（傾斜センサーで傾斜角の測定）それらの
データと運動時との誤差を音に変換する。
又、運動中の頭部の位置が地面に対して同じ高さを要求される場合、Ｚ軸
の加速度を測定（加速度センサー使用）しその変化を音に変換する。
又、運動中の前進、後進、左右への動きに均一性を要求される場合、Ｘ軸
Ｙ軸の加速度を測定し（加速度センサー使用）それらの変化を音に変換する。
それらの機能、感度を選択して使用し、本装置を頭部の位置にある耳に
装着して音の変化によって静止中及び運動中の自分の姿勢を認識し矯正し易
くする。
【背景技術】
【０００２】
従来は鏡を張り巡らした部屋に入り、自分の姿を確認しながら練習するか、
第三者に確認して貰うか、映像を撮影したあとで確認する手段しかなかった。  
【発明の開示】
【発明が解決しようとする課題】
【０００３】
鏡を見ながら自分の姿勢を確認する場合、角度、視界が限られ回転運動
中の確認となると不可能に近かった、又、実際に運動姿勢を矯正する場合
は、姿勢を崩した瞬間を自分で認識する事が必要であった。
【課題を解決するための手段】
【０００４】
ヘッドホン本体1の内部に電子回路2、加速度・傾斜センサー3、電池4、
発音体5、電源・機能切り替えスイチ6、を組み込み、それを耳に装着
することにより、姿勢を崩した時に瞬時に音の変化によって自分で認識、
矯正することが出来るようにする。。
【発明の効果】
【０００５】
従来の鏡で自分の姿を確認しながら練習する場合と比較して、場所を
選ばず、電子回路の処理速度の速さによって、瞬時に自分自身がどこの
タイミングで、どの程度姿勢を崩したのか容易に判断、矯正する事ができる。
【発明を実施するための最良の形態】
【０００６】
技量に応じてセンサーの感度を切り替えられる様にし、特に運動中に使用
する場合を考え、出来る限り小型化し余分なコート゛類も省略した。
【実施例】
【０００７】
ヘッドホン本体1の内部に電子回路2、加速度・傾斜センサー3、電池4、
発音体5、電源・機能切り替えスイッチ6を組み込む。           
【産業上の利用可能性】
【０００８】
舞踏の練習のみならず、スピーチ中の姿勢矯正訓練、美しく歩く為の歩行
訓練、運動選手の姿勢確認、運動障害者のリハビリテーション、一般生活に
おける姿勢矯正にも有益なものである。
【図面の簡単な説明】
【０００９】
【図１】本発明の正面内部構造図である。
【図２】本発明の側面内部構造図である。
【符号の説明】
【００１０】
1.ヘッドホン本体
2.電子回路
3.加速度・傾斜センサー
4.電池
5.発音体
6.電源・機能切り替えスイッチ
【図１】
2005118402.tif 000003
【図２】
2005118402.tif 000004
(57)【要約】【課題】  指紋認証や顔認証、声認証等に代表されるバイオメトリックス認証機を利用したタイムレコーダーにおいてバイオメトリックス認証が困難な場合に本人の画像を出勤時刻、退勤時刻とともに記録できる装置を備えたタイムレコーダーの提供。【解決手段】  バイオメトリックス認証機１０１と画像撮影機１０２を用いて社員の出勤時刻、退勤時刻を記録する。【選択図】  図１
2005182720.tif 000002
【特許請求の範囲】
【請求項１】
出勤時刻、退勤時刻を記録する際に、バイオメトリックス認証機により採取した社員固有データと、事前に登録しておいた社員固有データを照合し、同一と判断した場合に出勤時刻、退勤時刻の記録が可能であり、採取した社員固有データと事前に登録しておいた社員固有データが一致しない場合に画像撮影機により本人を撮影し、その画像とともに出勤時刻、退勤時刻が記録できることを特徴としたバイオメトリックスタイムレコーダー。
【請求項２】
上記画像撮影機は録音機である請求項１のバイオメトリックスタイムレコーダー。
【発明の詳細な説明】
【技術分野】
【０００１】  本発明は、指紋認証や顔認証、声認証等に代表されるバイオメトリックス認証機とその認証が失敗したときに代わりに本人の画像を記録することで社員の出勤時刻、退勤時刻を記録することが出来るタイムレコーダーに関するものである。
【背景技術】
【０００２】  従来の指紋認証や顔認証、声認証に代表されるバイオメトリックス認証機を用いたタイムレコーダーでは、バイオメトリクス認証機から採取された社員固有データと事前に登録してある社員固有データを照合しても一致しない場合があり、出勤時刻、退勤時刻が記録できなかった。【０００３】  また本人の申請により時刻の入力が行われる、あるいは数字、文字、記号等の文字列を事前の社員固有データの一つとして登録しておき、キーボードから数字、文字、記号等の文字列を入力し、照合させ一致した場合に出勤時刻、退勤時刻を記録するような手段を備えたものが提案されている。
【発明の開示】
【発明が解決しようとする課題】
【０００４】  しかし、本人が申請するのでは不利な状況下で故意に認証を怠り認証失敗を理由にするという不正行為が行われる可能性がある。【０００５】  また数字、文字、記号等の文字列を入力するような方法では本人が入力を行わなくても出勤時刻、退勤時刻の記録が可能な為、不正行為を抑制することが出来なかった。
【課題を解決するための手段】
【０００６】  本発明では事前に登録されている社員固有データとバイオメトリックス認証機から採取された社員固有データを照合し本人であることを証明するとともに、照合し一致しなかった場合や社員固有データを採取できなかった場合に、画像撮影機により本人を撮影しその画像とともに出勤時刻、退勤時刻を記録する。
【発明の効果】
【０００７】  バイオメトリックス認証機と画像撮影機を組み合わせることで出勤時刻もしくは退勤時刻に本人が操作しなければならず、代打刻などの不正行為が抑制される。
【発明を実施するための最良の形態】
【０００８】  本発明の実施の形態を述べると、社員は出勤時、もしくは退勤時にバイオメトリックス認証機１０１へ社員固有データを入力する。バイオメトリックス認証機１０１により採取された社員固有データ（Ｓ１１）と事前にデータ記憶部１０５に登録されている社員固有データを判断部１０４にて照合する（Ｓ１２）。同一と判断された場合、時刻をデータ記録部１０６に記録する（Ｓ１４）。【０００９】  採取された社員固有データと事前にデータ記憶部１０５に登録されている社員固有データを判断部１０４にて照合し（Ｓ１２）一致しない場合は、画像撮影機１０２により本人を撮影する（Ｓ１６）。撮影された画像と時刻をデータ記録部１０６記録する（Ｓ１７）。【００１０】  記録されたかどうかは表示装置１０７にて結果を表示させることで確認出来る。（Ｓ１５）【００１１】  バイオメトリックス認証機１０１は指紋認証と声認証等を複数組み合わせても良い。【００１２】  画像撮影機１０２により得られる画像は静止画でも良いし、動画でも良い。【００１３】  画像撮影機１０２や音声録音機等を複数組み合わせても良い。
【図面の簡単な説明】
【００１４】
【図１】本発明の実施の形態におけるブロック構成図
【図２】本発明の実施の形態におけるフローチャート
【符号の説明】
【００１５】１０１        バイオメトリックス認証機
１０２        画像撮影機
１０３        パーソナルコンピューター
１０４        判断部
１０５        データ記憶部
１０６        データ記録部
１０７        表示装置
【図１】
2005182720.tif 000003
【図２】
2005182720.tif 000004
(57)【要約】【課題】  キャビネット型多段電子計算機収納装置における、送風機による騒音の低減【解決手段】  キャビネット型多段電子計算機収納装置に収納する、複数の電子回路素子を搭載した配線基板を格納する装置筺体をトレイ型にし、熱源をユニットから露出させて、熱源ごとに直接設置された送風機による個別の冷却構造を廃し、キャビネットに冷却構造を設置する。【選択図】  なし【特許請求の範囲】
【請求項１】
電子回路素子を搭載した配線基板を格納する装置筺体と、前記装置筐体を収納するキャビネット型多段電子計算機収納装置において、前記キャビネット型多段電子計算機収納装置に一枚あるいは複数枚収納可能な、密閉されていないことを特徴とするトレイ型装置筐体。
【発明の詳細な説明】
【技術分野】
【０００１】  本発明は、キャビネット型多段電子計算機収納装置に収納可能なトレイ型装置筐体に関するものである。
【背景技術】
【０００２】  従来のラックマウント型と呼ばれるキャビネット型多段電子計算機収納方式では、キャビネット（ラック）へ収納するユニットがそれぞれ密閉された装置筐体に格納されている。
【発明の開示】
【発明が解決しようとする課題】
【０００３】  しかしながら、キャビネット型多段電子計算機収納方式において、キャビネット（ラック）へ収納するユニットがそれぞれ密閉された装置筐体に格納されていることは、前記ユニットに格納された電子回路素子を搭載した配線基板の熱源を冷却する上で、複数のユニットに対してそれぞれに送風機を用意する必要があり、多数の送風機は激しい騒音を発生させる。
【課題を解決するための手段】
【０００４】  本発明は、キャビネット型多段電子計算機収納装置に収納する、複数の電子回路素子を搭載した配線基板を格納する装置筺体をトレイ型にすることで、上記問題を解決する。
【発明の効果】
【０００５】  本発明は、キャビネット型多段電子計算機収納装置に複数のユニットをトレイ型にし、熱源をユニットから露出させることで、共通の冷却風を使用できるようになるため、各配線基板上熱源に対して直接設置していた冷却構造を取り去ることができ、その結果送風機の数量を減らして冷却構造を単純化できるため、送風機による騒音が低減する。
【発明を実施するための最良の形態】
【０００６】  本発明は図１に示されるように、トレイ型装置筐体１上に電子回路素子を搭載した配線基板２を配置し、前記トレイ型装置筐体１をキャビネット型収納装置３に収納する。
【図面の簡単な説明】
【０００７】
【図１】本発明に係わるトレイ型装置筐体の概略図である。
【図２】本発明に係わるトレイ型装置筐体の断面図である。
【図３】本発明に係わるトレイ型装置筐体を収納するキャビネットの概略図である。
【符号の説明】
【０００８】１  トレイ型装置筐体
２  電子回路素子を搭載した配線基板
３  キャビネット型多段電子計算機収納装置
【図１】
2005182718.tif 000002
【図２】
2005182718.tif 000003
【図３】
2005182718.tif 000004
(57)【要約】【課題】  電子計算機の冷却の効率化【解決手段】  計算機１上の熱源２の前面に、集風構造３を設け、集風構造３の前面部分に送風機４を設ける。熱源と、熱源以外の位置に設置された送風機の中間地点に集風構造を設置することにより、送風機により吹き付けられた風を集め、効率良く熱源を冷却する。【選択図】  図１
2005182717.tif 000002
【特許請求の範囲】
【請求項１】
電子回路素子を搭載し装置筺体に格納された配線基板と、前記配線基板の熱源に対し冷却風を吹き付ける送風機を備えた電子計算機の冷却構造において、冷却風を集めて熱源を冷却することを特徴とする電子計算機の冷却構造。
【発明の詳細な説明】
【技術分野】
【０００１】  本発明は電子計算機の冷却に関するものである。
【背景技術】
【０００２】  電子計算機は熱に弱く、冷却される必要があり、冷却構造は不可欠である。従来の電子計算機の冷却装置は、配線基板上の熱源それぞれに直接的に送風機を設置し、冷却するものである。または配線基板上の熱源に対し、直接的に送風機を設置せずに、熱源以外の位置に設置された送風機の送風によって熱源を冷却するものもある。
【発明の開示】
【発明が解決しようとする課題】
【０００３】  しかしながら配線基板上の熱源それぞれに直接的に送風機を取り付けず、熱源以外の位置に設置された送風機の送風によって熱源を冷却する場合、従来の装置筺体内の構造では冷却効率が充分ではない。
【課題を解決するための手段】
【０００４】  本発明は、分散する冷却風を熱源に集めて熱源を冷却する、効率的な冷却構造を設ける事により、上記問題を解決する。
【発明の効果】
【０００５】  本発明は、配線基板上の熱源と、熱源以外の位置に設置された送風機の中間地点に集風構造を設置することにより、送風機により吹き付けられた風を集め、効率良く熱源を冷却することができる。
【発明を実施するための最良の形態】
【０００６】  本発明は図１に示されるように、計算機１上の熱源２の前面に、集風構造３を設け、集風構造３の前面部分に送風機４を設ける。
【図面の簡単な説明】
【０００７】
【図１】本発明に係わる計算機冷却構造の概観図である。
【図２】本発明に係わる計算機冷却構造の斜視図である。
【符号の説明】
【０００８】  １  計算機
２  計算機上の熱源
３  集風構造
４  送風機
【図１】
2005182717.tif 000003
【図２】
2005182717.tif 000004
(57)【要約】【課題】  テキストデータを編集し、ＸＭＬプログラムに変換し印刷仕様データと併用可能としインターネット通信を可能とするシステムを提供する。【解決手段】  テキストデータを編集し、ＸＭＬプログラムに変換し印刷仕様データと併用可能としたインターネット通信プログラム及び印刷仕様データを併用した編集システムを提供する。【選択図】      図１
2005182724.tif 000002
【特許請求の範囲】
【請求項１】
テキストデータをインターネット通信プログラム（ＸＭＬ）に編集、作成し、インターネット通信を可能としたことを特徴としたインターネット通信プログラム編集システム。
【請求項２】
テキストデータを編集し、ＸＭＬプログラムに変換し印刷仕様データと併用としインターネット通信を可能としたことを特徴とした請求項１記載のインターネット通信プログラム及び印刷仕様データを併用した編集システム。
【発明の詳細な説明】
【技術の分野】
【０００１】本発明は、インターネット通信プログラムと印刷仕様データを併用した編集システムに関するものである。
【背景技術】
【０００２】出版物のＤＴＰをＸＭＬやＰＤＦに変換しサーバーで保管しホームページ公開する手段がとられていたが、ＸＭＬで変換されたデータはコンテンツのみの表記や、テキストデータからのＸＭＬプログラム変換は一部の作業のみで完全なものではなかった。
また、ＸＭＬプログラムと印刷仕様データ（ＤＴＰ）の併用プログラムは既存しなかった。
【特許文献１】特許公開番号特開２００３−１４１２１０
【発明の開示】
【発明が解決しようとする課題】
【０００３】  これには次のような欠点があった。
（イ）従来、印刷物及び出版物のデータはインターネットウエーブにおいてのサーバーの管理及び保存のほとんどはＰＤＦデータによるものであった。
（ロ）インターネット通信プログラムＸＭＬと印刷データが併用されたプログラムは既存しなかった。
（ハ）テキストデータからインターネット通信プログラムＸＭＬに変換するシステムソフトは既存するが、部分的な変換で完全なるシステムではなかった。
（ニ）インターネット通信プログラムＸＭＬと印刷データが併用されたデータは既存しなかったことから、インターネット通信プログラムＸＭＬで作成された従来のプログラムの管理と活用に欠点がみられた。
本発明は、これらの問題点を解決するためになされたものである。
【課題を解決するための手段】
【０００４】テキストデータを編集し、ＸＭＬプログラムに変換し印刷仕様データと併用可能としインターネット通信を可能とする。
以上を特徴とするインターネット通信プログラム及び印刷仕様データを併用した編集システム。
【発明の効果】
【０００５】出版物のＤＴＰをＸＭＬやＰＤＦに変換しサーバーで保管しホームページ公開する手段がとられていたが、ＸＭＬで変換されたデータはコンテンツのみの表記や、テキストデータからのＸＭＬプログラム変換は一部の作業のみで完全なものではなかった。
以上の従来の課題は本発明のテキストデータを編集し、ＸＭＬプログラムに変換し印刷仕様データと併用可能としインターネット通信を可能とすることから、その効果が発揮されるものである。
また、インターネット通信プログラムＸＭＬと印刷データが併用されたプログラムは既存しなかったことから、インターネット通信プログラムＸＭＬで作成された従来のプログラムの活用がされていない問題の解決にいたる効果を得るものである。
ＸＭＬプログラム（１０３）と印刷仕様データ（ＤＴＰ）（１０４）が併用されていることからデータの保存と管理が容易になされる効果を得る。
インターネットユーザーにおいて、インターネットからのＸＭＬプログラム（１０３）のプリントが可能であり、必要に応じての印刷物の提供が可能となる。
実施例として、損保関連に加入すると約款が発行される。
加入者の希望で約款の印刷物の提供及びインターネットから掲示の選択が可能となる。
必要に応じてインターネットからの掲示が可能となり、必要事項のみのプリントアウトが可能とされることから、印刷物の削減が可能となるものである。
【発明を実施するための最良の形態】
【０００６】  以下、本発明の実施の形態について図１をもちいて説明する。
図１に記載されているのは、本発明のインターネット通信プログラム及び印刷仕様データを併用した編集システムの全体構成で、テキストデータ（１０）はワードソフト等で作成されたテキストデータ及びその他のテキストデータにて作成されたテキストデータで、ソフトインデザインにてテキス編集（１０１）の作業とインターネット通信ＸＭＬプログラム変換（１０２）とＸＭＬプログラム（１０３）の作成作業をおこなう。
ＸＭＬプログラム（１０３）はソフトインデザインにてテキス編集（１０１）の作業からのとの互換性により印刷仕様データ（ＤＴＰ）（１０４）との併用が可能となる。
ＸＭＬプログラム（１０３）はデータとして保存管理され、必要データはインターネットサーバー（１０６）よりユーザー（１０９）に配信される。
以上、本発明の構成で、実施において下記に示す。
本発明の実施
（イ）本発明の特徴は、ＸＭＬプログラム（１０３）はソフトインデザインにてテキス編集（１０１）の作業からの互換性により印刷仕様データ（ＤＴＰ）（１０４）との併用が可能となることで、本発明のシステムでのデータによりインターネット配信及び印刷での活用がなされる。
（ロ）ＸＭＬプログラム（１０３）と印刷仕様データ（ＤＴＰ）（１０４）が併用されていることからデータの保存と管理が容易になされる。
（ハ）インターネットユーザーにおいて、インターネットからのＸＭＬプログラム（１０３）のプリントが可能であり、必要に応じての印刷物の提供が可能となる。
実施例として、損保関連に加入すると約款が発行される。
加入者の希望で約款の印刷物の提供及びインターネットから掲示の選択が可能となる。
また、必要に応じてインターネットからの掲示が可能となり、必要事項のみのプリントアウトが可能とされる。
以上、本発明は実施される。
【産業上の利用可能性】
【０００７】ＸＭＬプログラム（１０３）はソフトインデザインにてテキス編集（１０１）の作業からの互換性により印刷仕様データ（ＤＴＰ）（１０４）との併用が可能となるシステムデータが提供される。
本発明は、以上の構成より産業上利用されるものである。
【図面の簡単な説明】
【０００８】
【図１】本発明の実施における構成図である。
【符号の説明】
【０００９】１０．テキストデータ
１０１．テキストデータ編集
１０２．ＸＭＬプログラム変換
１０３．ＸＭＬプログラム作成
１０４．印刷仕様データ（ＤＴＰ）
１０５．ＸＭＬプログラム保存管理
１０６．インターネットサーバー
１０７．製版
１０８．印刷
１０９．ユーザー
【図１】
2005182724.tif 000003
(57)【要約】 【課題】  保険証あるいは医療証の期限切れ情報、医療機関あるいは調剤薬局の休診情報等を領収書あるいは処方箋に印刷することで患者に効率よく伝達する可能となる。領収書用紙あるいは処方箋用紙の裏面に広告掲載することで対象者限定の宣伝活動が可能となり、広告主の費用負担で廉価な用紙を医療機関あるいは調剤薬局に提供することが可能となる。【解決手段】  医事コンピュータに登録済みの患者情報・医療機関の登録情報あるいは調剤薬局の登録情報から患者毎あるいは患者全体に伝えたい情報を自動選択できるプログラムを備え、発行する領収書あるいは処方箋に印刷することで、患者の注意を喚起しその伝達効率をたかめる。領収書用紙あるいは処方箋用紙裏面にあらかじめ印刷することで、より情報量の多い広告が可能となり、また広告主の費用負担で医療機関あるいは調剤薬局はより廉価に領収書用紙あるいは処方箋用紙を入手可能となる。【選択図】    図１
2005182706.tif 000002
【特許請求の範囲】
【請求項１】
登録済み患者情報・医療機関情報あるいは調剤薬局情報等から患者毎の必要な情報あるいは最適な広告を選択して、発行する領収書あるいは処方箋の、余白あるいは裏面に印刷することを特徴とする、医療機関あるいは調剤薬局で使用される医事コンピュータ。  
【請求項２】
余白あるいは裏面に広告を印刷した、医療機関あるいは調剤薬局で患者宛に発行される領収書用紙あるいは処方箋用紙。
【発明の詳細な説明】
【技術分野】
【０００１】
本発明は、領収書あるいは処方箋を発行することのできる医事コンピュータならびに使用する領収書用紙あるいは処方箋用紙に関するものである。
【背景技術】
【０００２】
医療機関あるいは調剤薬局で患者に「保険証、医療証の更新」「保険点数の変更に伴う負担金の増減」「臨時休診」等の情報を伝える手段として、口頭で伝達したり、院内・局内掲示したりあるいは別途文書を作成し手渡していた。                    
【発明の開示】
【発明が解決しようとする課題】
【０００３】
解決しようとする問題点は、口頭での伝達が不十分であったり、院内・局内掲示に気がつかないあるいは手渡した文書を読まずに廃棄する患者もあり、伝えたい情報が十分に伝わらない点である。
【課題を解決するための手段】
【０００４】
本発明は、医事コンピュータに登録済みの患者情報・医療機関の登録情報あるいは調剤薬局の登録情報から患者毎あるいは患者全体に伝えたい情報あるいは広告を自動選択し、発行する領収書あるいは処方箋に印刷することで、患者の注意を喚起しその伝達効率をたかめることを最も主要な特徴とする。
【発明の効果】
【０００５】
本発明は、医療機関あるいは調剤薬局が患者に発行する領収書あるいは処方箋に情報あるいは広告を印刷するもので、情報だけあるいは広告だけの印刷物の配布よりもその伝達効率を高めることが出来る。広告を印刷した領収書あるいは処方箋用紙は広告主の費用負担で医療機関あるいは調剤薬局への納入単価は廉価となる。
【発明を実施するための最良の形態】
【０００６】
医事コンピュータに保険証あるいは医療証の有効期限・患者の年齢・医療機関あるいは調剤薬局の休診情報等から各患者毎に重要な情報あるいは最適な広告を自動選択できるプログラムを備えることで効率の良い情報伝達方法を実現した。又診療科等によって最適な広告を裏面に印刷した領収書用紙あるいは処方箋用紙を使用することで広告効果を増すことができ、また広告主の費用負担で医療機関あるいは調剤薬局に廉価な領収書用紙あるいは処方箋用紙提供することを実現した。
【実施例１】
【０００７】
図１は本発明を眼科医療機関で実施時の情報選択フローである。領収書あるいは処方箋は裏面にコンタクトレンズの広告を記載した用紙を使用する。
【０００８】
第一段階で医事コンピュータに入力済みの保険証あるいは医療証の有効期限データを選択条件にして、医事コンピュータで自動選別し、有効期限まで一ヶ月未満の時に「保険証、医療証の有効期限が間もなく切れます」または、「次回診察時には、新しい保険証・医療証をご持参ください」と印刷する。
【０００９】
第二段階で医事コンピュータに入力済みの年齢データを選択条件にして、医事コンピュータで自動選別し、次月に７５歳になる時は「来月には老人保健適用となりますので、老人保健受給者証をご持参ください」または、３歳になる時は「来月から負担金が２割から３割に変わります」と印刷する。
【００１０】
第三段階で臨時休診日が設定された場合あるいは年末年始休診日・夏期休診日まで一ヶ月未満の時「○月○日臨時休診となります」あるいは「○月○日から○月○日まで休診となります」と印刷する。
【００１１】
上記の三段階が医療機関からの重要な情報であり、この条件に当てはまらない場合、保険点数改正時に「保険点数の変更により負担金額が変更になります」あるいは流行時に「インフルエンザ流行の時期です早期の治療に努めて下さい」または「食中毒が多発しています。十分に注意をして下さい」等の医療情報を印刷したり、「交通安全運動実施中」「火災予防運動実施中」と一般広報等の情報を適時設定し印刷する。
【００１２】
発行時に印刷する広告は患者年齢から選択し、４５歳以下の患者には「使い捨てコンタクトレンズ」商品名を、それより高齢者には「老眼用コンタクトレンズ」商品名を余白部に印刷する。
【００１３】
これらの情報は領収書に印刷することが基本であるが、自己負担がない患者等領収書を発行しない時は、処方箋に印刷する。
【００１４】
情報文章は医事コンピュータにあらかじめ内蔵した定型文以外に、医療機関あるいは調剤薬局で必要に応じて追加入力された文章からも選択する事が可能とする。
【図面の簡単な説明】
【００１５】
【図１】本発明の情報選択フローである。第一段階で保険証あるいは医療証の有効期限、第二段階で年齢を選択条件に自動選別して情報を選択し、第三段階で医療機関の休診日を情報として提供する情報を選択する。
【００１６】
医療機関個別の情報がない場合、第四段階で、医療情報あるいは一般情報を適宜印刷する。
【図１】
2005182706.tif 000003
(57)【要約】【課題】医療機関あるいは調剤薬局において診療後あるいは調剤後の待ち時間をなくすことで、患者の負担を軽減することを可能とする。【解決手段】医療機関あるいは調剤薬局に予納口座を開設し、診療時毎・調剤時毎あるいはその他自己負担が必要な時毎に支払うのではなく、予納口座からその都度引き落とされることで患者は診療終了後すぐに医療機関を、あるいは投薬後すぐに調剤薬局を退出することが可能となる。また、希望する患者には自動ダイアルで口座変動内容をメール等で通知することも可能である。医療機関あるいは調剤薬局においても予納口座利用患者の医療費算定あるいは調剤費算定に必要十分な時間を使って作業ができ、算定過誤等の発生を減少させることが可能となる。【選択図】    図１
2005182709.tif 000002
【特許請求の範囲】
【請求項１】
診療時毎・調剤時毎あるいはその他自己負担が必要な時毎に支払うのではなく、医療機関あるいは調剤薬局に開設した予納口座に任意金額を納入しておき、そこから負担金を引き落としていく診療費・調剤費等の負担金予納口座支払システム。
【請求項２】
口座残高の変動時毎にその変動内容を通知するすることを特徴とする請求項１の診療費・調剤費等の負担金予納口座支払システム。
【請求項３】
負担金予納口座支払システムの管理プログラムおよび口座残高変動時に変動内容を自動ダイアルし通知するプログラムの両方あるいは片方を備えた医事コンピュータ
【発明の詳細な説明】
【技術分野】
【０００１】
本発明は、医療機関あるいは調剤薬局において診療費・調剤費等の負担金支払方法に関するものである。
【背景技術】
【０００２】
診療後に診療内容が計算部署に通知され、診療費の算定が行われ保険診療患者負担金あるいは保険外自己負担金が計算され、この後会計窓口で支払いが行われ投薬あるいは処方箋の発行がなされている。調剤薬局においても、点数算定後に負担金が確定するまで待つ必要がある。  
【発明の開示】
【発明が解決しようとする課題】
【０００３】
解決しようとする問題点は、診療終了後も患者は計算終了まで待つ必要があり病人にとって辛い時間であり、計算部署が一カ所に集中している大規模の医療機関ほど待ち時間が長くなり負担が大きくなり、院外の調剤薬局で投薬を受ける場合は調剤点数算定をさらに待たなくてはならない点である。  
【課題を解決するための手段】
【０００４】
上記の課題を解決するために、本発明は診療時毎・調剤時毎あるいはその他自己負担金が必要な時毎に支払うのではなく、任意の金額を納めた予納口座からその都度引き落とし、希望者にはその予納口座の変動内容を通知することを最も主要な特徴とする。
【発明の効果】
【０００５】
以上説明したように、本発明の予納口座支払システムを利用する患者は診療後の待ち時間をなくす事が可能となる。また、本システムを利用する患者が増加することで、間接的に利用しない患者の診療後待ち時間も減少させることが可能となる。
【０００６】
また、医療機関においても予納口座を利用しない患者の診療費算定作業は患者の待ち時間短縮のため迅速にする必要があり算定過誤が発生する事があったが、予納口座を利用する患者の診療費算定作業は慎重に行う時間が確保できることから算定過誤の発生を減少させることが可能となる。
【０００７】
予納口座の入金単位を千円にすることで、入金場所を会計専門窓口ではなく診療受付にしても受付の事務負担等は多くなることはない。
【０００８】
医療機関で処方箋の発行を受けた後、医療機関内から該当の調剤薬局にファックスで処方箋内容が送られることがあり、本発明を調剤薬局で利用すれば、患者は調剤後の点数計算を待つ必要がなく投薬を受けすぐに退出することが可能となる。
【発明を実施するための最良の形態】
【０００９】
予納口座の入金、引き落としおよび解約等の管理プログラムと口座残高変動内容を自動ダイアルで通知するプログラムを備えた医事コンピュータを医療機関が設置する。予納口座支払システムを希望する患者はあらかじめ予納口座を開設し任意の金額を納め、追加入金も診療の待ち時間等に随時会計専門窓口だけではなく、診療受付でも可能とする。またその口座の変動時に通知を希望する者は通知先の電話番号を登録することで予納金の入金時あるいは診療負担金等が引き落とされた時にその変動内容をメール等で通知を受けることが可能となる。予納口座は治癒等患者の希望で随時解約閉鎖は可能とする。
【実施例１】
【００１０】
図１は、医療機関において診療受付から投薬あるいは処方箋発行を受けるまでの本発明を利用している患者と利用しない患者の比較フローである。
【００１１】
窓口で診療受付し、診療まで待ち時間の間に予納口座を設けている患者は口座に入金することも可能となる。診療を受けるまで両者での時間差はない。
【００１２】
診療終了後に、予納口座を利用している患者は診療受付で投薬、あるいは処方箋発行を受け前回診療分の領収書を受取りすぐに退出することが出来る。領収書記載項目に予納口座残高を設ける。
【００１３】
予納口座を利用してない患者は計算窓口に移動し書類提出後も、医療費の計算が終了するのを待たなければならない。計算終了後会計窓口で負担金支払い後に投薬あるいは処方箋発行を受け退出することが出来る。
【図面の簡単な説明】
【００１４】
【図１】予納口座を利用する患者と利用しない患者の比較フローである。点線枠内が本発明独自の作業であり、利用者の退出後の枠内に表示された部分が、本発明を使用することで過誤を少なくするための必要十分な時間を使って行える作業である。
【図１】
2005182709.tif 000003
(57)【要約】      （修正有）【課題】発射時に危険がなく、製造に費用や時間がかからず、誰でも搭乗でき、部品が剥がれにくく、乗員が体調をくずさず、打上げに失敗せず、ゴミを発生しない特殊宇宙飛行機の提供。【解決手段】飛行機は空気を逆に利用して空へ上がり、日常においても頻繁に利用されている。しかし、空気のない宇宙では無理なので、空気にたよらない動力で離陸し、今までにない推力で重力を脱し、摩擦を少なくするために特殊素材と表面滑化で防ぐことができる。動力の向きが変えられるので空中静止も可能なので乗員の体調悪化も無くせる。燃費も良く、排出される気体も無害なので環境にも良い。機内にもさまざまな物が搭載されていて、安全性、飛行性は抜群であり、宇宙産業や宇宙観光、宇宙実験、新分子製造、宇宙資源輸送、隕石防護と貢献ははかりしれない。【選択図】図１
2005324763.tif 000002
【特許請求の範囲】
【請求項１】
重力を脱するには速度が必要で特殊な動力が必要なため、各国で競ったが２００２年当社が世界初の炉心動力に成功。液体水素を燃料に化学反応しヘリウムになる際、莫大なエネルギーが発するが、威力を高めるために特殊反射鏡で同方向に出し、微量でも反応しやすいように特殊管を使用した所、僅かの燃料で馬力が得られ、ヘリウムは無害なので環境にもよし。
【請求項２】
飛行機は舵で方向変換するが、宇宙では空気が無いため、飛行機のようにはいかず、悩みの歴史だったが、動力自体の向きが変わったらどうかと発想し、胴体横に動力をつけるがネジのように縦に１回転できるようにし上下前後の変換はできるが、左右ができないので、もう一つ支点をつくると左右も可。上昇する時は下向きにし垂直上昇も可。宇宙飛行では減速が効かないのも悩みだったが動力を逆向きにすれば解決できる。
【請求項３】
燃費は格段に良いが、長い宇宙飛行では燃料切れは困る。そこでハッチを開けると宇宙空間の水素が入るというのはどうかと発明した。ハッチは動力前部にあるが、多くとりいれるため機首先端にもある。
【請求項４】
飛行中、機外で故障が起きた際、乗員が機外に出て作業をするのは危険が伴う。そこでアームが伸びて手のように自分の傷を治す器を発明。
【請求項５】
火星着陸時、砂嵐がひどい時、探査しにくいので翼の先が軸になりヘリのように左右の翼が同方向にも、上下差になって逆方向にも回転でき風を発生させて打ち消すことが可。万一、動力が故障してもヘリのように上昇可。また大気中での高速化でも翼が邪魔になったり、惑星着陸後走行でも障害になったりするので、重ねて小さくできた方が便利。鳥をヒントに発明。
【請求項６】
表面滑化をすると高速飛行時の万一の衝突でも破壊されにくく、着陸時タイヤが出なくなっても、低速水平なら胴体着陸できる。
【請求項７】
従来のパラシュートは機を捨てて人が脱出するものとして扱われていたが、墜落した機で事故が起き、脱出者も危険である。そこで飛行機自体につけたらと発想し、そのためには重い機にも受けられる特殊性を要する。パラシュートは空気抵抗利用なので抵抗を多くするため凹凸を増やし中心に気体水素を少量入れると中心が上を向くので安定もする。この機には三角上に３つ付ける。
【請求項８】
人間の判断力にも限界があり、ましてや高速化するとブラックアウトや気絶など乗員の命にも関わってくる。生命が過酷な宇宙に出るのは万全を期しても危険と考えるべきで、それなら無人化してコンピューター操作できる方が良いことから発明し、機の２つのカメラが三角法で物体の位置、距離を割り出し舵や動力に減速や方向変換を指令し避けたり旋回したりする。手動に切り替えられるが、宇宙飛行は原則として離陸からコンピューターとする。リモコン操作もできるが食や電離層に注意すること。地球を周回し太陽電池搭載マイクロ波送信で宇宙発電も可。
【発明の詳細な説明】
【技術分野】
【０００１】本発明を宇宙飛行機とし宇宙開発、産業を開く便利な機に関する。世界初。
【背景技術】
【０００２】従来のロケットは発射時に危険性があり製造にも費用や時間がかかり、使い捨てであったため、スペースデブリ発生など諸問題があった。またロケット打上げに失敗すると近隣に火災等被害が及び、他国へ落下すると外交問題になってしまう。また帰還可能なロケットでも帰還時は危険が伴った。よってスムーズに宇宙へ行ける機を開発するのは人類の夢であり、自由への憧れであった。他惑星、太陽系外への有人飛行、宇宙での長期人類生活は夢でしかなかった…  宇宙では地球上では造れないものも、造れるという事に日本は積極性が少なく民間参入も難しかった…【０００３】以下、図１は飛行機にしか見えないが、胴体は二重構造で中まで貫通させないような仕組みである。翼も強度素材で上９０度まで折畳める。胴体横に主動力が左右１つずつ付、水平尾翼の上に小型補助動力を付けると推力増す。機体の大きさにより推力等が変わるが、同型ジェットの倍以上有。大気中は飛行機のように離陸し、なるべく東向きに進路をとり上昇する。一気に速度を上げず、少しずつ加速（地球を何周してもよい）し、翼を引っ込めて衝撃波を少なくし、ある速度になった時、動力を下向きにし大気外へ出て地球を周回する。【０００４】図２−１は動力のしくみで、液体水素を少しずつ炉心へ注入しヘリウムに変わる際莫大なＥ（エネルギー）が発生するのを特殊反射鏡（研磨９９．９９％以上の溶けないもの）で同方向へ噴射させると光速も可能になる。図２−１Ｂは動力の向きが変えられるという発明だ。
向きが変えられるということは、軽ければ垂直上昇も可能で、滑走での離陸ペイロードも少なくて済む。【０００５】図２−２は火星着陸後の探査活動で、従来は地球に火星が接近する時を狙って放たれていたが、最遠時以外は気象の良い時などに任意に可能になれる。ホーマン軌道を利用すると遠日点で火星に９８日で接近可。火星大気突入時は動力で減速しながら４５度の角度で前から入る。突入後は尾を下げると浮力が加わるので動力減速と併用させて摩擦熱を少なくさせる。重力に落とされそうな時は補助動力も使う。地表が近づいたら新型パラシュートを開き、新型タイヤを出す。軽くて頑丈なので、車のように火星地表の段差も走れる。アームを出すと土を掘ったり、石をどけたりと手のように便利で機外に出なくてもいろいろな作業をすることが可。タイヤの前のバンプを下ろすとブルドーザーに使えるので火星土を機内に入れたり、火星資源を使って火星基地を造るのが得策。アームは地下深くまで伸びるので、地下水が出たら機内電池で酸素をつくり大気に放つと少しずつ地球化に近づけられる。
【図１】
2005324763.tif 000003
【図２】
2005324763.tif 000004
【図３】
2005324763.tif 000005
(57)【要約】【課題】従来の空気抵抗値の軽減に対する技術は車両の形状によるものであり、外装表面に対する直接的な加工はなく、空気抵抗に対する技術と風切り音による環境への配慮の技術は限界に近いものがある。【解決手段】外装表面の半球状並びに指紋状の凹凸部２，４，５の配列により空気の渦状の層を形成し、外装表面と空気の抵抗ではなく空気の層と空気の抵抗にすることにより、空気抵抗値の軽減並びに風切り音の軽減に対する画期的な方法である。このことにより将来的には、車、バイク等の燃費向上、モータースポーツシーンでの最高速の向上、新幹線、リニアモーターカー、列車等のトンネル進入時の衝撃音の軽減並びに走行中の風切り音の軽減ができる。【選択図】図１
2005324762.tif 000002
【特許請求の範囲】
【請求項１】
車、バイク、新幹線、列車、リニアモーターカー、軽飛行機等の高速で移動する車両の外装に２ｍｍから５ｍｍの半球状、楕円状、並びに指紋状の凹凸部をつけることにより、凹凸部に空気を巻き込み薄い空気の渦状の層ができ、外装を構成する物質対空気の抵抗値より凹凸部にできた空気の渦状の層対空気の抵抗値の方が低くなり、高速移動する車両全体の空気抵抗値が軽減できるｃｄ値削減の方法。
【請求項２】
凹凸部の大きさ、深さ、並び方を車両の形状に合わせて配列、形成することにより高速移動中の風切り音を飛躍的に軽減することができる請求項１に記載のｃｄ値削減の方法。
【発明の詳細な説明】
【技術分野】
【０００１】  各種車両の空気抵抗軽減の加工方法
【背景技術】
【０００２】  現在の空気抵抗軽減の方法は車両の形状や付属品により空気の流れをコントロールする技法だが、ｃｄ値削減の方法は外装表面を直接加工することにより、従来の形状や付属品によるものとは違い、根本的に異なる技法により空気抵抗をさらに軽減するものである。
【特許文献１】  特願平７−７２３１１号  公報
【発明の開示】
【発明が解決しようとする課題】
【０００３】  空気抵抗を減らすことにより、燃費の向上や車両に対する負担の軽減、風切り音による環境への考慮。
【課題を解決するための手段】
【０００４】  各種車両の表面に２ｍｍから５ｍｍの半球状、並びに指紋状の凹凸をつけることにより凹凸部に空気を巻き込む。【０００５】  空気を巻き込むことにより、凹凸部表面に薄い空気の渦状の層ができる。【０００６】  渦状の層ができることにより、物質対空気の抵抗値より空気の層対空気の抵抗値の方が低くなり、車両全体の抵抗値が軽減できる。
【発明の効果】
【０００７】  上記のように、抵抗が下がることにより燃費の向上ができる。【０００８】  また、半球状並びに指紋状の凹凸の大きさ、配列により、風切り音や高速で移動する列車のトンネル進入時の衝撃音を軽減し、環境への配慮ができる。【０００９】  さらに、高速で移動する車両の限界速度を高めることができる。
【発明を実施するための最良の形態】
【００１０】  以下、ｃｄ値削減の方法の実施の形態を図１〜図４に基づいて説明する。【００１１】  図１と図３においては高速で移動する車両の外装表面の断面図、図２と図４においては高速で移動する車両の上方図であり、車両の外装表面１、本方法により形成された凹部２、本方法により形成された凹部並びに指紋状の凹部に発生した渦状の空気の層３、本方法により形成された指紋状の凹部４、本方法により形成された指紋状の凸部５である。【００１２】  この方法は、プレス、並びにドリル、ルーター等により半球状並びに指紋状の凹凸を車両の形状に合わせて配列、形成する。【００１３】  配列、形成により、空気の流れ並びにｃｄ値削減の方法の凹凸部にできた渦状の空気の層をコントロールすることが出来る。【００１４】  このことにより、凹凸部に発生した渦状の空気の層の風切り音同士が干渉することにより風切り音の軽減が見込め、環境への配慮ができる。【００１５】  さらに、高速で移動する車両の形状にあわせて、半球状並びに指紋状の凹凸の大きさ、配列は異なることにより、いっそうの風切り音の軽減ができる。
【産業上の利用可能性】
【００１６】  乗用車、バイクに対する空気抵抗値の減少による燃費の向上。【００１７】  列車等の表面加工による風切り音の軽減。【００１８】  モータースポーツにおける最高速の向上。【００１９】  ロケット、ミサイル等による射程距離の延長。【００２０】  工場やビルなどに設置されている送風管、通風管等大量に空気が流れる箇所に応用することにより、風量の向上並びに騒音の軽減。【００２１】  エンジンから出ている排気管等の内部を表面加工することにより排気効率の向上。
【図面の簡単な説明】
【００２２】
【図１】半球状の凹凸部の配列の例の断面図
【図２】半球状の凹凸部の配列の例の上面図
【図３】指紋状の凹凸部の配列の例の断面図
【図４】指紋状の凹凸部の配列の例の上面図
【符号の説明】
【００２３】  １車両の外装表面。
２外装表面に加工した半球状、楕円状の２ｍｍから５ｍｍの凹部。
３凹凸部にできた空気の渦状の層。
４指紋状の凹凸の凸部。
５指紋状の凹凸の凹部。
【図１】
2005324762.tif 000003
【図２】
2005324762.tif 000004
【図３】
2005324762.tif 000005
【図４】
2005324762.tif 000006
(57)【要約】【課題】ハンドルと座席シートの大事な部分だけを保護し、そのシートカバーを収納するバッグを前または後方に常備する物を提供する。【解決手段】市販されているシートカバーは面倒臭い、時間が掛かる。かさ張る為に持ち歩かない。走って来ればエンジンが熱いためにシートカバーが掛けられない。その為に故障や劣化、悪戯にも甘んじて来ました。私案は、この全ての欠点をクリアした製品です。数秒でセッティングができ、再び数秒で収納出来るシートカバーです。持ち歩かなくても常備、固定されている収納バッグ。シートカバーがバイクに装着した全体図（図面２）である。このように余計な部分を省けば、風の抵抗や過熱部分にあたる心配はありません。ハンドル、本体、収納バッグのそれぞれは自由に取り替えられる仕組みになっている。この方式で、スクータータイプやアメリカンタイプは勿論。自転車にも応用が可能です。【選択図】図２
2005324764.tif 000002
【特許請求の範囲】
【請求項１】
図面１のＡに常備されているバッグから簡単にシートカバーが取り出せ、再び収納出来るバイク又は自転車用カバー。
【発明の詳細な説明】
【技術分野】
【０００１】本発明は、従来のようにバイク全体をシートカバーで覆うのではなく、ハンドル部分と本体の座席シートの大事な部分だけを保護する目的で考案した物である。その事でコンパクトになり、収納バッグに入り、前方又は後方に結束バンドで常備される構造のものである。
【背景技術】
【０００２】従来のシートカバーは、全体をすっぽり覆うので、かさ張り、手を汚していた。エンジンが熱い時には出来ないし、時間が掛かる。強風時のセッティングは大変であった。その他にも、雨、埃、直射日光に加えてカッターでの悪戯で座席シートを駄目にすることもあった。
【発明の開示】
【発明が解決しようとする課題】
【０００３】新車を購入する半分以上の人はシートカバーを買うのだ。しかし、出先でシートカバーがされているかと言うと、されていないのが現状である。それは面倒臭い、時間がない。かさ張るために持ち歩かない。と言った理由で、行った先ではシートカバーがされないままバイクは放置されている。したがって、コンパクトで主要な部分だけを保護し、常備されている事で前述の課題を解決しようとするものである。
【課題を解決するための手段】
【０００４】本発明は、約１０秒程度でシートカバーが設置できるものであり、雨は勿論、埃、霜、直射日光やカッターでの悪戯から防御できる。シートカバーが入っている雨に強いバッグＡは、邪魔にならない所に結束バンドでしっかり固定、常備されてある。
ハンドル部分図面３の（１）と本体シート図面５の（５）部分はボルトとナットで（２）と（６）はマジックテープでしっかり取り付ける。車種によってＢとＣの部分はサイズを変えられるようになっている。本体シートの部分ＣからＤの穴からゴム紐で車体に固定するため、どんな強風にも耐えられる構造になっている。
【発明の効果】
【０００５】誰もが愛車をシートカバーしたいと思っても、面倒臭い。手が汚れる。時間が掛かる。かさ張る為に持ち歩かない。カバーの収納に困る。風が吹いている時のセッティングは大変である。横列駐車してシートカバーをしようとするとしにくい。サイズが合わないと風が入り、ボディーの塗装を駄目にしてしまう。走って来て直ぐにはエンジンが熱いのでシートカバーが出来ない。と言う欠点があるために、路上に停めてあるバイクのほとんどは、雨に濡れても、埃にまみれても直射日光やカッター等での悪戯に対しても無防備でした。
常備されてあるバッグから、わずか１０秒でセッティングができ、再び１０数秒で収納できる事ができたら、誰しもが前述の悩みから解放される。【０００６】大事な部分（ハンドルと座席シート）だけを保護する為、熱いエンジンの部分にあたらず、風の抵抗も少ない。【０００７】私案した製品を使うことによって故障やサビ、いたみ、悪戯、から防御でき、シートカバーがされないよりも格段に長持ちすることができる。
【発明を実施するための最良の形態】
【０００８】発明を実施するための最良の形態を図面で参照して説明する。
図面１はシートカバーがされていない状態で、図面２はシートカバーがされた状態である。
本発明の構造は３つに分類される。ハンドル部分のＢと本体部分のＣそれに収納バッグＡの部分からできている。
【実施例１】
【０００９】ハンドル部分は図面３のように被せて、図面４のように紐を引いてアジャスターで止める。
【実施例２】
【００１０】図面３のハンドル部分と図面５の本体シートの部分（１）と（５）の穴の部分はボルトとナットでジョイントされ、（２）と（６）の部分はマジックテープの雄雌で固定される。
【実施例４】
【００１１】本体シートの図面５の（７）の部分は収納バッグの内側に固定される。
【実施例５】
【００１２】本体シート図面５のＤの部分図面２のように車体の部分に取り付ける。（引っかける所はバイクによって違う）
【実施例６】
【００１３】（７）の部分は袋状になっており、図面７の棒を入れると図面６の状態になる。（１０）の穴から通された結束バンドが（９）の空間を通り（１１）の穴から抜け出してバイクの荷台に結束される。
【実施例７】
【００１４】図面８は収納バッグで（１２）は（１０）から（１１）に抜けた結束バンドが荷台に取り付けることが出来なかった場合は（１２）又は（１３）の所から結束バンドを通して、荷台又はテールランプなどの取り付けやすい所に固定する。
【図面の簡単な説明】
【００１５】
【図１】収納バッグが取り付けてあるが、シートカバーがされてない状態。
【図２】シートカバーがされている状態。
【図３】ハンドル部分のシートカバー。
【図４】図面３のＥ部分の拡大図である。
【図５】本体部分のシートカバーである。
【図６】図面５の（７）の部分の拡大図である。
【図７】図面５の（７）の部分に入る木製の棒。
【図８】シートカバーが入るバッグ。
【符号の説明】
【００１６】Ａ        収納バッグ
Ｂ        ハンドル部分のシートカバー。
Ｃ        本体シートカバー。
Ｄ        本体シートカバーをサイドで止める金具穴。
Ｅ        ハンドル部分を絞る所。
Ｆ        ハンドル部分のシート。
（１）    ボルトとナットで止める金具穴。
（２）    マジックテープのオスかメス。
（３）    アジャスター。
（４）    ハンドル部分を絞る紐。
（５）    ボルトとナットで固定する金具穴。
（６）    マジックテープのオスかメス。
（７）    収納バッグに取り付ける部分。
（８）    本体シートを押さえる棒。
（９）    本体シートと棒の空間。
（１０）  結束バンドを通す穴。
（１１）  結束バンドを通す穴。
（１２）  結束バンドを通して車体に取り付ける部分。
（１３）  結束バンドを通して車体に取り付ける部分。
【図１】
2005324764.tif 000003
【図２】
2005324764.tif 000004
【図３】
2005324764.tif 000005
【図４】
2005324764.tif 000006
【図５】
2005324764.tif 000007
【図６】
2005324764.tif 000008
【図７】
2005324764.tif 000009
【図８】
2005324764.tif 000010